(57)【要約】      （修正有）【課題】自動販売機を、あたかも防犯カメラが設置されているように見せかけ、ドアを開くとブザーで警報を発して金品盗難の発生を防ぐことができる警報装置を提供する。【解決手段】ケース２の前壁に、警報灯３とビデオカメラのレンズに似せた模擬の映像撮影部材５、ブザー６を設け、前記ケース２の内部に収納した内部回路の制御部にドアスイッチ８を接続し、自動販売機のドアを開くと、ドアスイッチ８はオンとなり、ブザー６への通電となるため、犯行をブザー６の鳴動による音によって周辺の人に知らせることで犯人を撃退する。【選択図】図２
2009277212.tif 000002
【特許請求の範囲】
【請求項１】
ケースの前壁に、警報灯とビデオカメラのレンズに似せた模擬の映像撮影部材を設け、このケースの内部に、発音器と、この発音器及び前記警報灯の電源部と制御部を収納し、前記制御部に、自動販売機のドアの開閉を検出し、ドアの開放時に発音器を鳴動させるためのドアスイッチと、自動販売機のドアの開放時に作動させることで、前記発音器を鳴動させないようにするためのメンテナンススイッチを接続した自動販売機の警報装置。
【請求項２】
上記電源部は、充電式電池を用い、商用電源によって充電され、商用電源が遮断されても、発音器及び警報灯への給電が可能になっている請求項１に記載の自動販売機の警報装置。
【請求項３】
上記ドアスイッチによるドアの開放検出から発音器が鳴動するまでの時間と、発音器が鳴り続ける時間をそれぞれ設定可能になっている請求項１又は２に記載の自動販売機の警報装置。
【請求項４】
上記制御部に、自動販売機の内部で外部からの衝撃を受け易い位置の近くに配置した振動センサを接続し、この振動センサの振動感知により発音器を鳴動させるようにした請求項１乃至３の何れかに記載の自動販売機の警報装置。
【発明の詳細な説明】
【技術分野】
【０００１】
この発明は、自動販売機の警報装置、更に詳しくは、自動販売機におる商品陳列窓の内部空間に前面側から見えるように設置し、窃盗目的で自動販売機のドアを開放したり、外部から衝撃や振動が加えられたときに発音器が鳴動してこれを周囲の人に知らせ、自動販売機からの金品や商品の盗難を未然に防ぐことができるようにした警報装置に関する。
【背景技術】
【０００２】
自動販売機は屋外に設置される場合が多く、しかも、内部に釣り銭や売上金、販売せんとする商品が収納されているため、内部の金品を盗まんとする窃盗の被害に遭う危険が多く、実際に自動販売機から金品を盗む事件が各地で多発しているのが現状である。
【０００３】
自動販売機から金品の盗難を阻止する有効な手段として、警報装置や防犯カメラを、自動販売機におる商品陳列窓の内部空間に前面側から見えるように設置し、故意にドアを開放すると、警報が鳴ったりカメラで映像としてとらえられることで、金品を盗もうとすると見つかるという思いを持たせ、犯行を思い止まらせるようにするのが、有効な一つの手段である。
【０００４】
従来、上記のような目的を達成することができる警報装置として、コスト的に安価なダミー式の警報装置が提案されている。
【０００５】
この警報装置は、ケースの前壁に、警報灯とビデオカメラのレンズに似せた模擬の映像撮影部材を設け、前記ケースの内部に、電源と接続することにより警報灯を点滅させる回路機構を設けた構造を有し、この警報装置を自動販売機におる商品陳列窓の内部空間に前面側から見えるように設置し、警報灯を点灯もしくは点滅させておけば、警報装置の設置を容易に確認させることができると同時に、模擬の映像撮影部材が作動しているように見え、これによって、犯行を思い止まらせることができるものであり、模擬の映像撮影部材を採用することでコスト的に廉価であるという利点もある（例えば、特許文献１参照）。
【特許文献１】実用新案登録第３１２２３７０号公報
【発明の開示】
【発明が解決しようとする課題】
【０００６】
ところで、最近の犯罪者は犯行が荒っぽくなり、警報装置が設置されていてもお構いなしに、施錠装置を壊してドアを開き内部の金品を盗もうとする。
【０００７】
しかし、上記従来のダミー式警報装置は、コスト削減の観点から、警報灯とビデオカメラのレンズに似せた模擬の映像撮影部材を設けた構造になっているため、施錠装置を壊してドアが開かれても、音による警報の発生はなく、周辺の人に犯行を知らせることができないので、金品の盗難防止の有効性が低いという点で改良の余地が見出された。
【０００８】
そこで、この発明の課題は、上記した問題点を解決するため、自動販売機に設置することにより、外観的にあたかも防犯カメラが設置されているように見せかけ、施錠装置を壊してドアが開かれたり、外部から衝撃が加えられると、これを検出して発音器が鳴動するようにし、音によって周辺の人に犯行を知らせることで犯人を撃退し、自動販売機の金品盗難の発生を防ぐことができる警報装置を提供することにある。
【課題を解決するための手段】
【０００９】
上記の課題を解決するため、この発明は、ケースの前壁に、警報灯とビデオカメラのレンズに似せた模擬の映像撮影部材を設け、このケースの内部に、発音器と、この発音器及び前記警報灯の電源部と制御部を収納し、前記制御部に、自動販売機のドアの開閉を検出し、ドアの開放時に発音器を鳴動させるためのドアスイッチと、自動販売機のドアの開放時に作動させることで、前記発音器を鳴動させないようにするためのメンテナンススイッチを接続したものである。
【００１０】
上記電源部は、充電式電池を用い、商用電源によって充電され、商用電源が遮断されても、発音器及び警報灯への給電が可能になっているようにすることができる。
【００１１】
また、上記ドアスイッチによるドアの開放検出から発音器が鳴動するまでの時間と、発音器が鳴り続ける時間をそれぞれ設定可能になっている構造にすることができる。
【００１２】
更に、上記制御部に、自動販売機の内部で外部からの衝撃を受け易い位置の近くに配置した振動センサを接続し、この振動センサの振動感知により発音器を鳴動させるようにしたものである。
【００１３】
ここで、上記ケースは、金属板を用いて前面開放の角型箱に形成され、その背面に金属部分へ吸着させるための磁石を取付けたケース本体と、このケース本体の前面側に嵌着してビスで固定するカバーとで形成され、カバーの前壁外面で上部中央の位置に、ビデオカメラのレンズに似せた模擬の映像撮影部材が固定され、この映像撮影部材から少し離れた位置に、発音器と警報灯及び電源灯が設けられ、前壁の外面には、警報装置等の文字が表示されている。
【００１４】
上記ケースの内部に収納した内部回路は、制御部と電源部とからなり、制御部にドアスイッチとメンテナンススイッチ及び振動センサが電気的に接続され、ドアスイッチは、ドアの開放時に発音器を鳴動させることになるが、ドアの開放時点から発音器が鳴動するまでの時間を任意に設定できることで、メンテナンス時にドアを開いてドアスイッチがオンしても、作業員がメンテナンススイッチを操作するまでの間の時間をかせぎ、メンテナンス時のドアの開時には発音器が鳴動することのないようにしている。
【００１５】
また、振動センサは、自動販売機本体に外部から衝撃が加えられると、これを感知して電圧を発生し、それによって発音器を鳴動させることになる。
【発明の効果】
【００１６】
この発明によると、警報灯とビデオカメラのレンズに似せた模擬の映像撮影部材を設けたケースの内部に、発音器と、この発音器及び前記警報灯の電源部と制御部を収納し、前記制御部に、自動販売機のドアの開放時に発音器を鳴動させるためのドアスイッチを接続したので、自動販売機の商品陳列窓の内側に外部から見えるように配置すれば、外観的にあたかも防犯カメラが設置されているように見え、しかも、警報灯を点滅させることにより、警報装置やビデオカメラが作動しているがごとき状態になり、自動販売機から金品を盗もうとする考えや行動を思い止まらすことができると共に、施錠装置を壊してドアが開かれると、これを検出して発音器が鳴動するようになっているので、犯行を音によって周辺の人に知らせることで犯人を撃退することができ、自動販売機の金品盗難の発生を効果的に防ぐことができる。
【００１７】
また、上記制御部に、自動販売機のドアの開放時に作動させることで、上記ドアスイッチによるドアの開放を検知しても発音器の鳴動が生じないようにするためのメンテナンススイッチを接続したので、自動販売機に対してドアを開いて行なう、商品の補充等の作業やメンテナンス時に、メンテナンススイッチを操作すれば、発音器の鳴動がないので、ドアを開いて行なう作業が支障なく行なえることになる。
【００１８】
更に、電源部は、充電式電池を用い、商用電源によって充電するようにしたので、自動販売機に接続された商用電源が遮断されても、発音器及び警報灯への給電が可能となり、商用電源を切ってドアを開放しても発音器が鳴動することになる。
【００１９】
また、振動センサを組み合わせ使用することにより、犯行を目的として自動販売機に衝撃を加えると発音器が鳴動するので、ドアがこじ開けられない場合でも犯行を音によって周辺の人に知らせることで犯人を撃退することができる。
【発明を実施するための最良の形態】
【００２０】
以下、この発明の実施の形態を図示例に基づいて説明する。
【００２１】
図１乃至図５に示す第１の実施の形態において、警報装置１は、自動販売機におる商品陳列窓の内部空間に前面側から見えるように設置する角型ケース２の前壁に、ＬＥＤを用いた警報灯３と電源灯４、ビデオカメラのレンズに似せた模擬の映像撮影部材５、発音器となるブザー６を設け、前記ケース２の内部に、制御部と電源部を備えた内部回路７を収納し、前記制御部に、自動販売機Ａのドアａの開閉を検出し、ドアａの開放時にブザー６を鳴動させるためのドアスイッチ８と、自動販売機Ａのドアａの開放時に作動させることで、前記ドアスイッチ８によるブザー６の鳴動を解除するためのメンテナンススイッチ９を接続し、電源部に商用電源を取り込むための電源コード１０を接続した構造になっている。
【００２２】
上記ケース２は、金属板を用いて前面開放の角型箱に形成されたケース本体２ａと、このケース本体２ａの前面側に嵌着してビスで固定する縦断面コ字形のカバー２ｂとで形成され、カバー２ｂの前壁外面で上部中央の位置に、ビデオカメラのレンズに似せた模擬の映像撮影部材５が固定され、この映像撮影部材５から少し離れた横方向の両側位置に設けた透孔の一方に、その先端がケース２の外部に突出するように青色に点灯する警報灯３と、他方の透孔に赤色に点灯する電源灯４が嵌まっていると共に、映像撮影部材５から離れた位置にブザー６が取付けられている。
【００２３】
上記ケース２におけるカバー２ｂの前壁外面には、警報装置等の文字が印刷やシール１１の貼り付けによって表示され、また、ケース本体２ａの背面又は下面の位置には、金属部分へ吸着させるためのゴム磁石等の永久磁石１２が貼り付け固定されている。
【００２４】
上記ドアスイッチ８とメンテナンススイッチ９は、内部回路７の制御部に接続した状態でケース２の外部に引き出した長いコードの先端に設けられ、ドアスイッチ８は、自動販売機Ａの内部でドアａの近傍にドアａの開閉を検出するよう配置され、ドアａが閉じているときオフとなり、ブザー６への通電が生じないと共に、ドアａが開くとオンになり、ブザー６を通電により鳴動させるようになっている。
【００２５】
また、メンテナンススイッチ９は、自動販売機Ａの内部で、メンテナンス作業者だけが判るような、ドアａを開いても見えにくくて判りにくい位置に隠して配置され、メンテナンス作業時にドアａを開いてこのメンテナンススイッチ９を操作するか押している間は、上記ドアスイッチ８によるブザー６の鳴動が生じないようにするものである。
【００２６】
上記ドアスイッチ８は、ドアａの開放時にブザー６を鳴動させることになるが、制御部によってドアａの開放時点からブザー６が鳴動するまでの時間を任意に設定できるようになっており、従って、メンテナンス時にドアａを開いてドアスイッチ８がオンしても、作業員がメンテナンススイッチ９を操作するまでの間の時間をかせぎ、メンテナンス時のドアａの開時にはブザー６が鳴動することのないようにしている。
【００２７】
また、上記電源部は、充電式電池を用い、商用電源によって充電すると共に、自動販売機Ａに接続された商用電源が遮断されても、ブザー６及び警報灯３への給電が可能となり、商用電源を切った後にドアａを開放してもブザー６が鳴動することになる。
【００２８】
図４と図５は、角型ケース２の内部に組み込む内部回路７の具体的な構造を回路図で示している。
【００２９】
内部回路７は、制御部と電源部とで構成されている。制御部は、図４に示すように、マイクロコントローラ１００に、ブザー回路１０１、点灯回路１０２、ドアスイッチ８のスイッチ回路１０３、メンテナンススイッチ９のスイッチ回路１０４及び設定用スイッチ回路１０５ａ、１０５ｂを接続し、電源遮断信号を入力する入力端子Ｓｃを設けた構成となっている。
【００３０】
マイクロコントローラ１００は、一般に、「Ｐｅｒｉｐｈｅｒａｌ Ｉｎｔｅｒｆａｃｅ Ｃｏｎｔｒｏｌｌｅｒ」と言われるものである。例えば、プログラムカウンタ、タイマ、Ｉ／Ｏポート、演算装置、プログラム記憶用のフラッシュメモリ、データ記憶用のＥＥＰＲＯＭ、ＵＡＲＴ、発信回路などをワンチップに備えたもので、フラッシュメモリに書き込んだプログラムに従って作動する。また、プログラムによって端子の入出力や使用する機能を設定する。
【００３１】
ブザー回路１０１は、例えば、図４のように、ドライバートランジスタを介して圧電式のブザー６を出力に設定したマイクロコントローラの端子に接続したもので、ブザー用の電源ＶＢは、後述のように主レギュレータ２００から供給する。
【００３２】
点灯回路１０２は、警報灯３である青色のＬＥＤを点灯する回路１０２ａと電源灯４である赤色のＬＥＤを点灯する回路１０２ｂとからなり、前記青と赤のＬＥＤは、電流制限抵抗を介してアノード端子を電源ＶＤＤと接続し、カソード端子をそれぞれの点灯出力に設定したマイクロコントローラ１００の端子に接続してある。
【００３３】
ドアスイッチ８のスイッチ回路１０３は、ドアの開閉を検出するためのスイッチ回路で、例えば、図４ではプッシュタイプのスイッチ（ドアスイッチ）をダイオードによる入力保護回路とプルアップ抵抗を介してマイクロコントローラ１００のセンサ入力に設定した端子に接続する。
【００３４】
なお、このドアスイッチ８には、図１や図４で示したのもの以外に、例えば、マイクロスイッチ、リードスイッチなどでも良い。また、ホールＩＣなどを使用してドアの開閉でオン・オフするようにしたものでも良く、振動センサなどドアの開閉で生じる振動を検出するようにしたものも使用できる。
【００３５】
メンテナンススイッチ９のスイッチ回路１０４は、図４のように、単極単投のスイッチ端子の一方を接地し、他方をダイオードによる入力保護回路とプルアップ抵抗を介してマイクロコントローラ１００の検出入力に設定した端子に接続したもので、後述のように、例えば、警報の解除に使用する。
【００３６】
設定用スイッチ１０５ａ、１０５ｂは、待機時間設定用のロータリースイッチと動作時間設定用のロータリースイッチとからなり、それぞれ、マイクロコントローラ１００の内部タイマの計時時間を設定する。この内部タイマは、待機時間計時用のタイマと動作時間計時用のタイマからなり、マイクロコントローラ１００にプログラムで設定する。上記設定用スイッチ１０５ａ、１０５ｂのロータリースイッチは、図２（ｂ）のように、ケース２の背面側から調整できるようになっていると共に、ケース２の背面に主電源スイッチ２１５が設けてある。
【００３７】
すなわち、待機時間計時用のタイマは、ドアスイッチ８が作動してからブザー回路１０１をオンするまでの時間を計時するためのものである。また、動作時間計時用のタイマは、前記オンしたブザー回路１０１をオフするまでの動作時間を計時するためのものである。
【００３８】
なお、この形態では、両スイッチ１０５ａ、１０５ｂに４接点のショートタイプのものを使用しており、摺動子を接地し、各接点は抵抗を介して電源にプルアップして、マイクロコントローラ１００の検出入力に設定した端子に接続する。
【００３９】
一方、電源部は、図５示すように、主レギュレータ２００、充電回路２０１及びローカルレギュレータ２０２で構成したものである。主レギュレータ２００は、図５のように、並列に接続した第１と第２の逆流防止用ダイオード２０５、２０６を介し、充電回路２０１とローカルレギュレータ２０２に電力を供給するとともに、ブザー６への電力も供給する。
【００４０】
すなわち、主レギュレータ２００と充電回路２０１は、第１の逆流防止用ダイオード２０５を介して接続し、一方、主レギュレータ２００とローカルレギュレータ２０２及び主レギュレータ２００とブザー回路１０１とは、第２の逆流防止用ダイオード２０６と主電源スイッチ２１５を介して接続してある。
【００４１】
主レギュレータ２００は、この形態の場合、市販の定電圧電源用の３端子レギュレータＩＣを使用して１２Ｖの定電圧を出力するもので、図示はしていないが、入力には整流回路が接続してある。また、主レギュレータ２００の出力と第１及び第２の逆流防止用ダイオード２０５，２０６の間には、図５のような電源遮断検出回路２０７を設けてある。
【００４２】
前記電源遮断検出回路２０７は、ＮＰＮトランジスタのベースを主レギュレータ２００の出力に接続し、前記トランジスタのエミッタを接地して、コレクタをマイクロコントローラ１００の電源断検出入力Ｓｃに接続したもので、前記検出回路２０７は、主レギュレータ２００が正常な定電圧出力の場合にオンとなり、出力が遮断されたときにオフとなって、遮断されたことをマイクロコントローラ１００が検出する。
【００４３】
充電回路２０１は、図５のように、主レギュレータ２００の出力にアノード端子を接続した第１の逆流防止用ダイオート２０５と電流制限抵抗及びスイッチング用のダイオード２１０で構成したものである。
【００４４】
すなわち、第１の逆流防止用ダイオード２０５のカソード端子に電流制限抵抗の一端を接続し、その一端を接続した制限抵抗の他端と、カソード端子を第２の逆流防止用ダイオード２０６のカソード端子に接続したスイッチング用のダイオート２１０のアノード端子とを接続して、その接続点を、充電電池Ｂのプラス端子に接続したもので、マイナス端子を接地した充電式電池Ｂには、通常、第１の逆流防止用ダイオード２０５を介して充電が行なわれる。また、主レギュレータ２００の電源断で、第２の逆流防止用ダイオード２０６のカソード端子の電圧が充電電池の電圧より低下すると、前記スイッチングダイオード２１０がオンとなってローカルレギュレータ２０２へ電力を供給する。
【００４５】
ローカルレギュレータ２０２は、市販の定電圧電源用の３端子レギュレータＩＣを使用して、主レギュレータ２００の１２Ｖの定電圧出力または主レギュレータ２００の電源断で充電式電池Ｂから供給される出力からマイクロコントローラ１００へ５Ｖの定電圧を出力する。このようにローカルレギュレータ２０２を設けることで、例えば、電源が遮断された場合でも、充電式電池Ｂから定電圧を供給して安定動作が行なえるようにしてある。
【００４６】
また、ブザー用電源ＶＢは、図５のように、第２の逆流防止用ダイオード２０６のカソードと充電回路２０１のスイッチングダイオード２１０のカソードとを接続することにより、主レギュレータ２００の作動中は、第２の逆流防止用ダイオード２０６がオンとなりスイッチングダイオード２１０がオフとなって、主レギュレータ２００から電力を供給する。一方、主レギュレータ２００からの供給が停止した場合は、直ちに、第２の逆流防止用ダイオード２０６がオフとなり、スイッチングダイオード２１０がオンとなって、充電電池Ｂから電力を供給する。
【００４７】
この形態は、上記のように構成され、この自販機に電源が供給されると、電源回路が作動し、主レギュレータ２００から充電回路２０１に電力が供給されて、充電式電池Ｂへの充電を開始する。また、このとき、主レギュレータ２００の出力により、電源遮断検出回路２０７はオンとなる。
【００４８】
そのため、主電源スイッチ２１５をオンにすると、ローカルレギュレータ２０２が作動してマイクロコントローラ１００へ電力を供給する。電力が供給されたマイクロコントローラ１００は、例えば、イニシャルシーケンスによってＥＥＰＲＯＭのブートプログラムを読込み、予め設定された端子の入出力や機能を設定する。また、フラッシュメモリに書き込まれた制御プログラムを読込んで実行する。
【００４９】
例えば、点灯回路１０２ｂを作動して電源灯４用の赤色のＬＥＤを点滅し、待機時間設定用のロータリースイッチ１０５ａと動作時間設定用ロータリースイッチ１０５ｂをスイープして設定を読み込む。同時に、ドアスイッチ８とそのスイッチ回路１０３はオン・オフを読み込みドアの開閉を検出する。同様に、メンテナンススイッチ９のスイッチ回路１０４と電源遮断入力端子Ｓｃをスイープする。このとき、電源遮断入力はオンとなっているので、ブザー回路１０１の出力はオフとし、警報灯３のＬＥＤも消灯する。
【００５０】
ここで、メンテナンススイッチ９のスイッチ回路１０４は、メンテンスや商品の補給、売り上げの取り出しなどで自販機Ａのドアａを開放した際に作動させることにより、警報出力を止めるためのものである。
【００５１】
したがって、待機時間と動作時間の設定などのメンテナンスや商品の補給や売り上げの取り出しなどでドアａを開放する場合は、ドアａを開放すると同時にメンテナンス用スイッチ９を作動させれば、警報が解除されるので、解除した状態で作業をすることができる。
【００５２】
いま、この状態で、本回路が作動中にドアａが無理にこじ開けられると、ドアスイッチ８が作動する。ドアスイッチ８が作動すると、そのことをマイクロコントローラ１００が検出して待機時間用の内部タイマの計時を開始する。そして、その計時が設定された時間に達してタイムアップすると、マイクロコントローラ１００がブザー回路１０１を作動して警報を発生する。同時に、警報灯３の点灯回路１０２ｂを作動して青色のＬＥＤを点滅させて警告する。ちなみに、ブザー６による警報や点灯回路１０２ａ、１０２ｂを止める場合は主電源スイッチ２１５をオフにすれば良い。
【００５３】
また、ドアａをこじ開ける前に電源を遮断すると、電源遮断検出回路２０７が作動して、電源が遮断されたことをマイクロコントローラ１００が検出する。同時に、充電回路２０１のスイッチングダイオード２１０が直ちにオンして充電電池Ｂからローカルレギュレータ２０２を介してマイクロコントローラ１００へ電力を供給する。そのため、マイクロコントローラ１００は一時も停止することなく作動することができので、例えば、電源用の警報灯３の点滅を早くするなどして報知する。
【００５４】
このとき、充電式電池Ｂからの電力は、ブザー回路１０１へも供給されるためブザー回路１０１を作動してブザー６が鳴動して警報を発することもできるが、停電などで電源が落ちたことも考えられるため、この形態の場合はＬＥＤの点滅に止めてある。
【００５５】
なお、自動販売機を壊すため、電気ドリル等の電源確保用に、自動販売機のプラグが抜かれることが多いので、実際は１５秒間ブザー６が鳴動するようにしてある。
【００５６】
この状態でドアａがこじ開けられると、マイクロコントローラ１００にはローカルレギュレータ２０２を介して充電式電池Ｂから電力が継続して供給され続けるため、今度は、ブザー回路１０１を作動して警告を発することができる。
【００５７】
なお、充電式電池Ｂの容量は、設置する現場の状況に合わせて適宜決めれば良い。
【００５８】
第１の実施形態の警報装置１は上記のような構成であり、図１のように、自動販売機Ａの商品陳列窓の内側に外部から見えるように配置し、磁石１２で自動販売機Ａの金属部分に固定すると共に、内部回路の電源部を電源コード１０で商用電源と接続し、ドアスイッチ８は、自動販売機Ａの内部でドアａの近傍にドアａの開閉オン、オフ作動する位置に配置し、メンテナンススイッチ９は、自動販売機Ａの内部で、メンテナンス作業者だけが判るような、ドアａを開いても見えないで判りにくい位置に隠して配置する。
【００５９】
上記警報装置１を設置することにより、自動販売機Ａは外観的にあたかも防犯カメラが設置されているように見え、しかも、警報灯３を点滅させることにより、ビデオカメラが作動しているがごとき状態になり、このため、自動販売機Ａから金品を盗もうとする考えや行動を思い止まらすことができ、自動販売機Ａの金品盗難の発生を防ぐことができる。
【００６０】
自動販売機Ａのドアが閉じられている状態で、ドアスイッチ８はオフとなり、ブザー６への通電が発生しないので、ブザー６の鳴動はない。
【００６１】
施錠装置を壊して自動販売機Ａのドアａを開くと、ドアスイッチ８はオンとなり、設定した時間後にブザー６への通電となるため、犯行をブザー６の鳴動による音によって周辺の人に知らせることで犯人を撃退することができ、自動販売機Ａの金品盗難の発生を防ぐことができる。
【００６２】
また、自動販売機Ａに対する商品の補充やメンテナンスのために作業員がドアを開いた場合は、ドアスイッチ８でブザー６が鳴動するまでの設定時間内にメンテナンススイッチ９を操作することにより、ドアスイッチ８からブザー６への通電が阻止され、ブザー６の鳴動をなくすことにより、作業が支障なく行なえると共に、作業後はメンテナンススイッチ９を元に戻してドアａを閉じればよい。
【００６３】
施錠装置を壊して自動販売機Ａのドアａを開く場合に、商用電源を抜いて警報装置１が作動しないようにしても、電源部には充電式電池Ｂを用いているため、警報灯３を点滅させることでビデオカメラが作動しているがごとき状態を確保することができると同時に、ブザー６に対する給電は可能な状態となり、従って、商用電源を抜いてドアａを開くと、ドアスイッチ８のオンによりブザー６への通電となるため、犯行をブザー６の鳴動による音によって周辺の人に知らせることができる。
【００６４】
更に、電源がオフになったような場合、充電式電池Ｂにより警報装置１や映像撮影部材５が作動しているがごとき状態を確保することで、自動販売機Ａの金品盗難の発生防止効果を維持できる。
【００６５】
次に、図６と図７は、この発明の第２の実施の形態を示している。
【００６６】
この第２の実施の形態は、図６に示すように、第１の実施の形態で述べた自動販売機の警報装置において、制御部を構成するマイクロコントローラ１００に、振動（衝撃）センサ３００ａ、ｂを付加したものである。また、前記振動センサ３００ａ、ｂを付加するため、前記センサ３００ａ、ｂの設定を行うための機能を設定スイッチ１０５ａ、ｂの待機時間設定用のロータリースイッチ（以下、待機スイッチ）１０５ａに付加している。
【００６７】
この第２の実施の形態では、前記振動センサ３００ａ、ｂは、圧電素子（セラミック）を用いたものを使用しており、例えば、圧電セラミックスと金属板を貼り合わせたユニモルフ振動子を円盤型のケース内部に収容したものである。
【００６８】
また、前記センサ３００ａ、ｂは、外周を支持した状態でケース内部に収容することで、衝撃や振動が加わるとその大きさに比例した電圧を発生するようになっている。
【００６９】
なお、この第２の実施の形態では、振動センサ３００ａ、ｂに圧電素子を用いたものを使用したが、これに限定されるものではない。これ以外にも、機械式、光学式、静電容量式など他の方式のセンサを使用することもできる。
【００７０】
また、前記センサ３００ａ、ｂは、図示例の場合、２個使用できるようになっており、それぞれ、図６のように、マイクロコントローラ１００に接続して、内蔵するアナログコンパレータに接続するようにしている。
【００７１】
そのため、この接続にはシールド線を使用し、入力抵抗とダイオードによる入力保護回路を設けて耐ノイズ性能を向上させてある。このマイクロコントローラ１００のアナログコンパレータ入力は、設定（プログラミング）によってアナログ−デジタル変換回路の入力として使用するため、後述のように、コンパレータの閾値の入力に使用する。
【００７２】
一方、前記待機スイッチ１０５ａは、図６に示すように、０〜８の番号を付した９個のポジションを備えたものにして、各ポジションが、下記の機能を有するように、マイクロコントローラ１００をプログラミングしてある。
０：ドアスイッチ８確認（ドアスイッチ８の動作確認のためのポジションで、この
ポジションにすることにより、ドアａが閉まると、警報用の青色のＬＥＤ３が
点灯してドアスイッチ８の動作が確認できる。）
１：ドアスイッチ８無効（ドアスイッチ８の作動に無関係にブザー６を鳴らすため
のポジションで、このポジションにすると、振動が加えられた場合と自動販売
機の電源プラグが抜かれた場合にのみブザー６を鳴らす。）
２：待機時間０秒
３：待機時間５秒
４：待機時間１０秒
５：待機時間１５秒
６：待機時間２０秒
７：振動センサ３００ａ、ｂ感度の再設定用のポジションで、このポジションにし
て、後述のように、電源スイッチを一旦オフにすることで再設定を行う。
８：振動センサ３００ａ、ｂの感度を出荷の状態に戻すためのポジションで、電源
スイッチをオフにしてから、このポジションにして電源スイッチをオンにした
のち、警報用の青色ＬＥＤ３の点灯を確認して電源スイッチをオフにすると初
期状態に戻る。
【００７３】
ちなみに、設定スイッチ１０５ａ、ｂの他方、動作時間設定用のロータリースイッチ（以下、ブザースイッチ）１０５ｂも０〜９の番号を付したポジションを備えたものにして、例えば、下記のように、各ポジションに５秒〜５分のブザー６の作動時間（ブザー６がなり続ける時間）を、付与している。
１：５秒、２：１５秒、３：３０秒、４：４５秒、５：１分、６：１分３０秒、
７：２分、８：３分、９：５分
【００７４】
なお、他の構成については、第１の実施の形態と同じなので、図面に第１の実施の形態と同一符合を付して説明は省略する。
【００７５】
このように、振動センサ３００ａ、ｂを付加した警報装置では、例えば、ドアスイッチ８を第１の実施の形態のように設置したのち、自動販売機Ａの内部に振動センサ３００ａ、ｂを設置する。
【００７６】
この設置は、例えば、攻撃を受けやすいコイン投入孔の裏（背面）側などの近くに設置する（これ以外に、紙幣投入孔、ドアヒンジなどの裏側）。このとき、図７（ａ）、（ｂ）のように、前記振動センサ３００ａ、ｂは、設置面と攻撃される面とが同じ平面になるように設置すれば感度を上げられるので好ましい。
【００７７】
逆にセンサの平面を水平（設置面と圧電素子とが垂直）に設置すると商品購入時の落下の振動を誤検知する場合が生じる。そのため、このような設置は望ましくない。
【００７８】
また、設置した振動センサ３００ａ、ｂは、設置した自動販売機に合わせて感度調整を行えば、誤検出を少なくできる。
【００７９】
すなわち、出荷時の警報装置は、例えば、自動販売機が一般に破損すると見込まれる振動センサ３００ａ、ｂの検出電圧に合わせて、アナログコンパレータ（マイクロコントローラ１００）の閾値を設定してある。しかし、設置箇所の違いや自動販売機の特性などで、誤動作を起こすことがあれば、以下のシーケンスで閾値の再設定を行えるようになっている。
【００８０】
例えば、電源スイッチ２１５をオフにして、待機スイッチ１０５ａを「７」に設定し、次に、電源スイッチ２１５をオンにする。こうすることで、マイクロコントローラ１００をリセットして設定した待機時間を読み込ませる。すると、電源灯である赤色ＬＥＤ４が点灯し、警報灯である青色ＬＥＤ３が数秒から数分間点灯するので、その間に振動を加える。例えば、商品の排出口に手を突っ込んで揺らす、コイン投入口にコインをぶつける、返却レバーをガチャガチャするなどの行為を加える。このとき、加える振動は、振動センサ３００ａ、ｂの閾値を設定するためのものなので、ブザー６が鳴って欲しい強さ（大きさ）の振動を加えるようにする。
【００８１】
すると、前記振動センサ３００ａ、ｂからの検出電圧がマイクロコントローラ１００に読み込まれ（このとき、プログラムにより、アナログコンパレータ入力はアナログ−デジタル変換回路入力に設定されている）、その検出した電圧値が閾値として設定される。その際、前記青色ＬＥＤ３が消灯すれば、再設定は終了なので、電源スイッチ２１５をオフにして、待機スイッチ１０５ａを２〜６に合わせて（使用モード）電源スイッチ２１５をオンにすれば、これ以後は、振動センサ３００ａ、ｂを再設定された感度で作動させることができる。
【００８２】
ちなみに、出荷時の感度に戻したい場合は、先に示したように、電源スイッチ２１５をオフにして、待機スイッチ１０５ａを「８」に設定し、再度電源スイッチ２１５をオンにする。そして、青色ＬＥＤ３が点灯した後に、電源スイッチ２１５をオフにすれば、初期の状態に戻すことができる。
【００８３】
このようにして、警報装置のセットアップが完了した自動販売機は、常時、電源灯である赤色ＬＥＤ４が点灯しており、振動を受けると、その振動を振動センサ３００ａ、ｂが検出して閾値と比較して、閾値を上回ると、警報灯である青色ＬＥＤ３を点滅し、ブザー６を鳴らして報知する。また、振動の頻度により、ブザー６の鳴る回数が多くなるようにプログラムすれば、ブザー６の回数による警告の度合いを調整できる。
【００８４】
このように、閾値を上回る振動が加えられると、ブザー６を鳴らし、警報用の青色ＬＥＤ３を点滅する。そのため、ドアａをこじ開ける前に、周辺の人に異常を知らせることができるので、犯行を未然に防止するようにできる。
【００８５】
また、このとき、ドアａがこじ開けられた際に、振動センサ３００ａ、ｂが作動しなかった場合でも、ドアスイッチ８が作動してブザー６を鳴らす。
【００８６】
すなわち、ドアａの開放で、ドアスイッチ８が作動したことをマイクロコントローラ１００が検出すると、待機時間用の内部タイマの計時を開始する。そして、その計時が設定された時間に達してタイムアップすると、マイクロコントローラ１００がブザー回路１０１を作動して警報を発することができる。
【００８７】
また、電源が遮断すると、第１の実施の形態と同様に、電流遮断検出回路２０７が作動して、マイクロコントローラ１００は、電源が遮断されたことを検出する。同時に、充電回路２０１のスイッチングダイオードがオンして充電池Ｂからマイクロコントローラ１００へ電力がローカルレギュレータを介して供給され、マイクロコントローラ１００を一時も停止させることはない。
【００８８】
この状態で、振動を受けると警報灯である青色ＬＥＤ３を点滅し、ブザー６を鳴らして警報することができる。また、振動の頻度により、ブザー６を鳴らす回数も多くできる。また、振動センサ３００ａ、ｂが作動せずにドアａが開けられても、ブザー６と青色ＬＥＤ３の点滅で警告を発することができる。
【００８９】
ちなみに、自動販売機に対する商品の補充やメンテナンスのために作業員がドアａを開ける場合は、第１の実施の形態と同様に、ドアａを開けてブザー６が鳴動するまでの待機時間内にメンテナンススイッチ９を操作する。
【００９０】
なお、振動センサ３００ａ、ｂによって鳴動させるブザーは、ドアスイッチ８で鳴動させるものとは別のものを用い、このブザーを自動販売機の外部で前面から見えないような位置に設置するようにしてもよい。また、他の構成および作用効果については、第１の実施形態と同じなので、説明は省略する。
【図面の簡単な説明】
【００９１】
【図１】第１の実施の形態の警報装置を商品陳列窓の内側に外部から見えるように配置した自動販売機の斜視図
【図２】（ａ）は第１の実施の形態の警報装置を示す斜視図、（ｂ）は同警報装置の背面図
【図３】第１の実施の形態の警報装置を示す要部を切り欠いた縦断側面図
【図４】第１の実施の形態の警報装置における内部に組み込む内部回路の回路図
【図５】内部回路の電源部を示す回路図
【図６】第２の実施の形態の警報装置における内部に組み込む内部回路の回路図
【図７】（ａ）は第２の実施の形態の警報装置における振動センサの正面図、（ｂ）は自動販売機に対する振動センサの配置例を示す縦断側面図
【符号の説明】
【００９２】
１        警報装置
２        ケース
３        警報灯
４        電源灯
５        映像撮影部材
６        ブザー
７        内部回路
８        ドアスイッチ
９        メンテナンススイッチ
１０      電源コード
１１      シール
１２      永久磁石
３００ａ  振動センサ
３００ｂ  振動センサ
【図１】
2009277212.tif 000003
【図２】
2009277212.tif 000004
【図３】
2009277212.tif 000005
【図４】
2009277212.tif 000006
【図５】
2009277212.tif 000007
【図６】
2009277212.tif 000008
【図７】
2009277212.tif 000009